(57)【要約】【課題】気体とともに腹腔内の液体を吸引しても、腹腔内のガスの量の変動を抑えることができる吸引装置を提供する。【解決手段】腹腔内の気体および／または液体を吸引する装置であって、腹腔内に挿入される吸引手段２と、吸引手段２と連通され吸引手段２内に腹腔内よりも低い圧力を発生させうる差圧発生手段６と、差圧発生手段６と吸引手段２との間に設けられる気液分離手段５と、気液分離手段５によって分離された気体を腹腔内に戻す気体返送手段７と、を備えている。気体とともに液体を腹腔内から吸引しても、腹腔内の気体の量をほぼ同量に維持することができる。しかも、腹腔内から吸引した気体を再利用できるので、施術の際に使用する気体の量を少なくすることもできる。【選択図】図１
2016022026.tif 000002
【特許請求の範囲】
【請求項１】
腹腔内の気体および／または液体を吸引する装置であって、
腹腔内に挿入される吸引手段と、
吸引手段と連通され吸引手段内に腹腔内よりも低い圧力を発生させうる差圧発生手段と、
該差圧発生手段と吸引手段との間に設けられる気液分離手段と、
該気液分離手段によって分離された気体を腹腔内に戻す気体返送手段と、を備えている
ことを特徴とする吸引装置。
【請求項２】
気体および／または液体を吸引する装置であって、
気体および／または液体を吸引する吸引手段と、
吸引手段と連通され吸引手段内に外部よりも低い圧力を発生させうる差圧発生手段と、
該差圧発生手段と吸引手段との間に設けられる気液分離手段と、
該気液分離手段によって分離された気体を排出する気体返送手段と、を備えている
ことを特徴とする吸引装置。
【請求項３】
前記差圧発生手段が、
気体を吸引する吸引口と、吸引した気体を排出する排出口と、を備えており、
該排出口が、
前記気体返送手段に連通されている
ことを特徴とする請求項１または２記載の吸引装置。
【請求項４】
前記吸引手段が、
中空な筒状の吸引部を備えており、
該吸引部は、
先端に開口を有しており、
側面に連通孔が形成されている
ことを特徴とする請求項１、２または３記載の吸引装置。
【請求項５】
前記気体分離手段は、
前記吸引手段において気体および／または液体が流れる流路の断面積よりも大きい断面積を有する分離空間を備えており、
前記差圧発生手段において気体を吸引する吸引口が、前記気体分離手段の分離空間の上部に連通されている
ことを特徴とする請求項１、２、３または４記載の吸引装置。
【発明の詳細な説明】
【技術分野】
【０００１】
本発明は、吸引装置に関する。さらに詳しくは、腹腔鏡による手術において、腹腔内の液体を吸引除去するための吸引装置に関する。
【背景技術】
【０００２】
近年、低侵襲の手術として、腹腔鏡手術が広く行われている。腹腔鏡手術では、患者の体に複数の穴を形成し、その穴から腹腔内に手術部位を視認するための内視鏡やメスや鉗子などの器具を挿入する。そして、内視鏡によって手術部位を確認しながら、器具によって施術を実施する。そして、この腹腔鏡手術では、患者の体には複数の穴しか形成されておらず、腹腔内はほぼ閉鎖された空間となっている。このため内視鏡の視野や施術のための空間を確保するために、腹腔内には炭酸ガスが供給され、この炭酸ガスによって腹腔を膨らませている。
【０００３】
ところで、電気メスなどによる施術では、通電によって患部が焼切られるので、患部の切創と止血を同時に行うことができるようになっている。かかる、電気メスなどによって患部が焼切られた際には、煙が発生する。すると、開腹手術と異なり、腹腔鏡手術では、腹腔内に煙が閉じ込められてしまい、術野が見えなくなってしまう状況が生じる。このような状況になった場合には、吸引器具によって腹腔内の空気（炭酸ガス）とともに煙を吸引することによって、術野を見えるようにすることが行われる。
【０００４】
しかるに、吸引器具によって腹腔内の空気（炭酸ガス）とともに煙を吸引すると、腹腔内の炭酸ガスが減少して、腹腔が萎んでしまう状態となる。つまり、内視鏡の視野や術野が確保できなくなってしまう。術野を確保するためには、炭酸ガスを追加供給して、腹腔を再び膨らませなければならない。このように、吸引と炭酸ガスの供給を交互に調整することによって、腹腔鏡の手術は行われている。
【０００５】
しかし、吸引と炭酸ガスの供給の操作を施術者が行った場合、施術者は常に腹腔内に供給する炭酸ガスの量を意識しながら施術をしなければならないので、施術者の負担が大きい。また、腹腔が萎んでから再び膨らむまでにタイムラグが生じるため、施術の効率が低下し、施術時間が長くなってしまい、患者および施術者の負担が大きくなる。
そこで、腹腔内の空気が吸引された場合に、自動で炭酸ガスを腹腔に供給して、腹腔の萎みを抑える技術が開発されている（例えば、特許文献１、２）。
【０００６】
これらの特許文献では、吸引された炭酸ガスの流量を測定しその流量に基づいて供給する炭酸ガスの流量を調整したりすることによって、腹腔内の炭酸ガスの量が大きく変動しないように制御している。これらの技術を採用すれば、施術者が腹腔に供給する炭酸ガスの量を意識することなく施術できるので、施術者の負担を軽減することができる。しかも、施術者が供給する炭酸ガスの量を制御するよりもレスポンスよく炭酸ガスを供給できるので、腹腔の萎みや膨みを抑えることができ、施術の効率も向上する。
【先行技術文献】
【特許文献】
【０００７】
【特許文献１】特開平５−３２９１６４号公報
【特許文献２】特開２０１２−１３９５１９号公報
【発明の概要】
【発明が解決しようとする課題】
【０００８】
しかるに、上記技術はあくまでも、気体のみを吸引する場合を想定しており、気体とともに液体を吸引する状況は全く想定されていない。例えば、施術の際には、予定外の出血などが生じると、その出血によって術部が見えなくなる可能性がある。この場合には、血液を吸引して術部が見えるようにするのであるが、血液を吸引する際に、血液とともに腹腔内の炭酸ガスも吸引される。この場合も、上述した場合と同様に、炭酸ガスの減少により腹腔が萎んでしまう。しかも、液体とともに気体を吸引した場合には、吸引した気体の流量を正確に測定できないので、上記技術では、腹腔内の気体の量を一定の状態に維持することはできない。
【０００９】
本発明は上記事情に鑑み、気体とともに腹腔内の液体を吸引しても、腹腔内のガスの量の変動を抑えることができる吸引装置を提供することを目的とする。
【課題を解決するための手段】
【００１０】
第１発明の吸引装置は、腹腔内の気体および／または液体を吸引する装置であって、腹腔内に挿入される吸引手段と、該吸引手段と連通され吸引手段内に腹腔内よりも低い圧力を発生させうる差圧発生手段と、該差圧発生手段と吸引手段との間に設けられる気液分離手段と、該気液分離手段によって分離された気体を腹腔内に戻す気体返送手段と、を備えていることを特徴とする。
第２発明の吸引装置は、気体および／または液体を吸引する装置であって、気体および／または液体を吸引する吸引手段と、吸引手段と連通され吸引手段内に外部よりも低い圧力を発生させうる差圧発生手段と、該差圧発生手段と吸引手段との間に設けられる気液分離手段と、該気液分離手段によって分離された気体を排出する気体返送手段と、を備えていることを特徴とする。
第３発明の吸引装置は、第１または第２発明において、前記差圧発生手段が、気体を吸引する吸引口と、吸引した気体を排出する排出口と、を備えており、該排出口が、前記気体返送手段に連通されていることを特徴とする。
第４発明の吸引装置は、第１、第２または第３発明において、前記吸引手段が、中空な筒状の吸引部を備えており、該吸引部は、先端に開口を有しており、側面に連通孔が形成されていることを特徴とする。
第５発明の吸引装置は、第１、第２、第３または第４発明において、前記気体分離手段は、前記吸引手段において気体および／または液体が流れる流路の断面積よりも大きい断面積を有する分離空間を備えており、前記差圧発生手段において気体を吸引する吸引口が、前記気体分離手段の分離空間の上部に連通されていることを特徴とする。
【発明の効果】
【００１１】
第１発明によれば、差圧発生手段によって吸引手段内に腹腔内よりも低い圧力が発生すれば、吸引手段に気体および／または液体を吸引することができる。そして、吸引された気体および／または液体は、気液分離手段において気体から液体が分離されるので、分離された気体を気体返送手段によって腹腔内に返送することができる。すると、吸引した気体とほぼ同量の気体を、腹腔内に吸引したタイミングとほぼ同時に戻すことができる。したがって、気体とともに液体を腹腔内から吸引しても、腹腔内の気体の量をほぼ同量に維持することができる。しかも、腹腔内から吸引した気体を再利用できるので、施術の際に使用する気体の量を少なくすることもできる。
第２発明によれば、差圧発生手段によって吸引手段内に外部よりも低い圧力が発生すれば、吸引手段に気体および／または液体を吸引することができる。そして、吸引された気体および／または液体は、気液分離手段において気体から液体が分離されるので、分離された気体を気体返送手段によって気体を吸引した場所等の所望の場所に返送することができる。
第３発明によれば、差圧発生手段が排出する気体をそのまま腹腔内等の所望の場所に返送するので、気液分離手段で分離された気体を腹腔内等の所望の場所に返送するための特別な装置が不要となる。したがって、装置の構造を簡素化できるし、装置をコンパクトに構成することができる。
第４発明によれば、側面に貫通孔を設けることによって、吸引部が他の物体に吸い付くことを防ぐことができる。
第５発明によれば、吸引手段において気体および／または液体が流れる流路の断面積よりも分離空間の断面積が大きいので、気体と液体が混在した流体が気液分離手段の分離空間に流入すると、分離空間で気体と液体が分離される。そして、分離された液体は分離空間の底に溜まるので、差圧発生手段に液体が吸引されることを防ぐことができる。
【図面の簡単な説明】
【００１２】
【図１】（Ａ）は本実施形態の吸引装置１の概略ブロック図であり、（Ｂ）は本実施形態の吸引装置１によって腹腔内の気体と液体を同時吸引している状況の概略説明図である。
【図２】吸引手段２の吸引部３先端の概略説明図である。
【図３】実験装置の写真である。
【図４】（Ａ）、（Ｂ）はプローブの概略説明図であり、（Ｃ）はプローブの配置の説明図である。
【図５】実施例１の結果を示した図である。
【図６】（Ａ）は実施例２の実験状況の写真であり、（Ｂ）は腹腔内の気体と生理食塩水で希釈された血液とを同時に吸引したときにおける気液分離手段の写真である。
【図７】（Ａ）は実施例２の実験状況の写真であり、（Ｂ）は画面の拡大写真である。
【発明を実施するための形態】
【００１３】
本発明の吸引装置は、気体および／または液体を吸引するために使用する装置であり、気体と液体が混在する状態でも気体と液体を分離して排出することができるようにしたことに特徴を有している。
【００１４】
とくに、腹腔鏡による手術の際に血液などを吸引して除去する装置や乾湿両用掃除機などに適したものである。つまり、気体と液体が混在する状態で気体と液体を吸引したのち、気体から液体を分離して、分離された気体を使用する用途に適している。
【００１５】
例えば、腹腔鏡による手術では、血液などの液体を気体とともに吸引して腹腔内（例えば術野）などから除去する。その際に本発明の装置を使用すれば、血液などとともに吸引され分離された気体（炭酸ガスなど、以下分離ガスという）を、再度腹腔内に戻すことができる。すると、腹腔を膨らませるための気体（以下掃気ガスという）として分離ガスを使用できる。つまり、施術の際に使用する掃気ガスの使用量を少なくすることができる。
【００１６】
しかも、後述するように、分離ガスをほぼそのまま腹腔内の返送するようにすれば、腹腔内から吸引された気体とほぼ同量の気体を、腹腔内の気体が吸引される場合とほぼ同じタイミングで腹腔内に戻すことができる。すると、腹腔内から気体を吸引しても、腹腔内に存在する気体の量をほぼ同じ量とすることができるので、腹腔が萎むことを防ぐことができ、術野や内視鏡の視野を確保しておくことができる。
【００１７】
以下では、代表として、腹腔内の気体や液体を吸引する場合を代表として説明する。
【００１８】
（本実施形態の吸引装置１）
以下、図面に基づいて、本実施形態の吸引装置１の構成を説明する。
図１（Ａ）に示すように、本実施形態の吸引装置１は、吸引手段２と、気液分離手段５と、差圧発生手段６と、気体返送手段７と、を備えている。
この本実施形態の吸引装置１の機能を簡単に説明すると、差圧発生手段６によって吸引手段２および気液分離手段５内に外部（つまり、吸引手段２の吸引口近傍）よりも低い圧力が発生すれば、吸引手段２を通して、流体が気液分離手段５に吸引される。一方、気液分離手段５では、吸引された流体が気体と液体に分離され、気体以外の流体は分離手段５にとどまり、気体は差圧発生手段６を通過して気体返送手段７から返送される。
なお、上記流体は、純粋な気体や液体だけでなく、固形物やゲル状のものを含有する流体も含む概念である。
【００１９】
（吸引手段２）
図１（Ａ）に示すように、吸引手段２は、吸引部３とチューブ４とを備えている。
吸引部３は、中空な筒状の部材である。具体的には、吸引部３は、軸方向に長い、管状の部材によって形成されており、その先端および基端に開口を有している。つまり、吸引部３は、その先端と基端間を連通する、軸方向に沿って伸びた流路を有しているのである。
この吸引部３の基端には、チューブ４の一端が連結されている。このチューブ４の基端は、気液分離手段５の流入口５ａに連結されている。つまり、チューブ４を介して、吸引部３の流路と気液分離手段５の流入口５ａとの間が連通されているのである。
【００２０】
なお、吸引部３の流路の断面積と、チューブ４の流路の断面積は、ほぼ同じ大きさに形成されているが、必ずしも同じ大きさでなくてもよい。
また、吸引部３およびチューブ４の流路の断面形状は、円形でもよいし、多角形状でもよく、とくに限定されない。
【００２１】
（気液分離手段５）
気液分離手段５は、吸引部３から流入する流体を、気体と液体に分離する機能を有するものである。この気液分離手段５は、内部に分離空間５ｈ（図１（Ｂ）参照）を有する中空な容器５ｃであって、分離空間５ｈと外部との間を連通する流入口５ａおよび流出口５ｂを備えたものである。
【００２２】
流入口５ａは、分離空間５ｈの中間から上方に位置する部分と連通するように設けられている。そして、流入口５ａには、上述したように吸引手段２のチューブ４の基端が連結されている。つまり、吸引手段２の吸引部３の先端開口と分離空間５ｈとが、吸引部３の流路、チューブ４の流路、および、流入口５ａを介して、連通されているのである。
【００２３】
流出口５ｂは、流入口５ａから離間した位置であって、分離空間５ｈの中間から上方に位置する部分と連通するように設けられている。具体的には、流出口５ｂは、流入口５ａから分離空間５ｈに液体が流入しても、その液体が直接流出口５ｂに入らない程度に離れた位置に設けられている。この流出口５ｂは、差圧発生手段６の吸引口６ａと連通されている。したがって、差圧発生手段６が作動している状態では、分離空間５ｈ内には、流入口５ａから流出口５ｂに向かう流れが形成されている。
【００２４】
そして、容器５ｃは、分離空間５ｈが外部から略気密になるように形成されている。略気密とは、分離空間５ｈは流入口５ａおよび流出口５ｂによって外部と連通されているが、流入口５ａおよび流出口５ｂ以外では外部から気体の流出入がないことを意味している。
この容器５ｃの分離空間５ｈは、その断面積が吸引部３およびチューブ４の流路の断面積よりも大きくなるように形成されている。つまり、分離空間５ｈは、吸引部３およびチューブ４の流路を通って液体が気体とともに分離空間５ｈ内に入ると気体の流速が大きく低下するように、その断面積が形成されている。具体的にいえば、液体が気体とともに分離空間５ｈ内に入ると、気体は流出口５ｂに流れることができても、液体が気体に追従して移動できず、液体は分離空間５ｈの底部に落下する状態となるように、分離空間５ｈは形成されているのである。
【００２５】
（差圧発生手段６）
差圧発生手段６は、気体を吸引して、気液分離手段５の分離空間５ｈ内に外部（つまり、吸引部３の先端開口近傍）よりも低い圧力を発生させる機能を有するものである。つまり、分離空間５ｈと連通された吸引部３の流路内を外部よりも低い圧力にする、言い換えれば、吸引部３の流路内を外部よりも低い圧力にする機能を有するものである。
この差圧発生手段６は、ボルテックスブロワやターボブロワ、ルーツブロアなどの種々のブロワ／コンプレッサを採用することができるが、吸引流量を変化させることができるものが好ましい。差圧発生手段６の吸引流量を変化させることができれば、吸引手段２によって吸引する気体および／または液体の流量を変化させることができるので、好ましい。
【００２６】
（気体返送手段７）
気体返送手段７は、チューブ９と、このチューブ９の先端に設けられた挿入部８とを備えている。チューブ９は、その基端が差圧発生手段６の排出口６ｂに連結されており、その先端に挿入部８の基端が連結されている。この挿入部８は、中空な筒状の部材である。具体的には、挿入部８は、軸方向に長い、管状の部材によって形成されており、その先端および基端に開口を有している。つまり、挿入部８は、その先端と基端間を連通する、軸方向に沿って伸びた流路を有しているのである。したがって、チューブ９を介して、差圧発生手段６の排出口６ｂと挿入部８の先端開口との間が連通されているのである。
【００２７】
なお、挿入部８の流路の断面積と、チューブ９の流路の断面積は、ほぼ同じ大きさに形成されていてもよいが、必ずしも同じ大きさでなくてもよい。
また、挿入部８およびチューブ９の流路の断面形状は、円形でもよいし、多角形状でもよく、とくに限定されない。
さらに、気体返送手段７として、吸引手段２と同じものを使用することも可能である。
【００２８】
（本実施形態の吸引装置１の使用例）
上述したような本実施形態の吸引装置１を腹腔鏡による手術において使用した場合を説明する。
【００２９】
まず、図１（Ｂ）に示すように、本実施形態の吸引装置１の気体返送手段７の挿入部８を、腹部に形成された貫通穴から腹腔内に挿入し、その先端開口を腹腔内に配置する。この状態で、腹腔鏡による手術が行われる。
【００３０】
図１（Ｂ）に示すように、腹腔鏡による手術において、術部に出血が生じた場合には、本実施形態の吸引装置１における吸引手段２の吸引部３を腹部に形成された貫通穴から腹腔内に挿入して、その先端を出血部位に配置する。そして、その状態で差圧発生手段６を作動させる。なお、吸引部３は、その先端開口全体が血液につからないように配置する。
【００３１】
差圧発生手段６を作動させると、気液分離手段５の分離空間５ｈ内が腹腔内よりも低い圧力になり吸引手段２の流路も腹腔内よりも低い圧力になる。すると、吸引部３はその開口全体が血液につかっていないので、吸引部３の先端開口から吸引部３の流路に気体の流れが発生する。すると、その気体の流れによって血液が吸引部３内に流入する。つまり、気体と液体（血液）が混在した流体（吸引流体）が吸引手段２の流路を気液分離手段５の分離空間５ｈに向かって流れる。
【００３２】
やがて、吸引流体が気液分離手段５の流入口５ａから分離空間５ｈ内に入ると、吸引流体の流速が低下する。分離空間５ｈ内に流入した血液は分離空間５ｈの底部に落下して分離空間５ｈ内に溜まる一方、分離空間５ｈ内に流入した気体は流出口５ｂから差圧発生手段６に吸引される。つまり、気液分離手段５において、気体と血液が分離されて、差圧発生手段６は気体のみを吸引することができる。
【００３３】
そして、差圧発生手段６に吸引された気体は、気体返送手段７のチューブ９と挿入部８
を通って腹腔内に戻される。すると、このとき返送される気体の量（流量）は、ほぼ吸引部３を通して腹腔内から吸引される気体の量と一致する。つまり、腹腔内から排出された気体の量とほぼ同量の気体を腹腔内に戻すことができる。
【００３４】
すると、本実施形態の吸引装置１によって血液を吸引して血液を術部から除去しても、腹腔内の気体（例えば炭酸ガス）の量をほぼ一定に保つことができるので、血液を吸引したときに腹腔が萎んだりすることを防ぐことができる。
【００３５】
しかも、差圧発生手段６が排出する気体をそのまま腹腔内に返送するので、気液分離手段７で分離された気体を腹腔内に返送するための特別な装置が不要となる。したがって、装置の構造を簡素化できるし、装置をコンパクトに構成することができる。
【００３６】
（吸引部３の他の例）
吸引部３は、その先端の開口だけから気体や液体を吸引するようにしてもよいが、図２に示すように、その側面に切り欠き３ｓや穴３ｈを設けて、その切り欠き３ｓや穴３ｈからも気体を吸引できるようにしてもよい。側壁に穴３ｈを開けた場合には、吸引部３が体組織に吸い付くことを防ぐことができる。また、先端に切り欠き３ｓを設けた場合には、液体と気体の混合が促進されるので、液体を微粒化することができる。
【実施例１】
【００３７】
本発明の吸引装置によって、気体と液体の同時吸引と気液分離が可能であること、および、気体とともに液体を吸引する場合において、気体を吸引する量を変化させることによって液体の吸引量も変化させることが可能であることを確認した。
【００３８】
実験は、図３に示す実験装置を使用して行った。実験装置の各部には、以下の部材を使用した。
吸引手段の吸引部        ：内径４ｍｍ、外径５ｍｍ、長さ３８０ｍｍのプローブ（図４（Ａ）、（Ｂ）参照）
吸引手段のチューブ      ：内径８ｍｍ、長さ１５００ｍｍのチューブ
差圧発生手段            ：ボルテックスブロア（西村電機製ＦＢ-２００Ｒ）
気液分離手段            ：内径１５３ｍｍ（内容積３．７ｌ）の容器
気体返送手段の挿入部    ：内径４ｍｍ、外径５ｍｍ、長さ３８０ｍｍのプローブ（図４（Ａ）、（Ｂ）参照）
気体返送手段のチューブ  ：内径８ｍｍ、長さ１５００ｍｍのチューブ
なお、吸引量変化させるために、ボルテックスブロアの回転数はインバータ回路によって制御した。
【００３９】
実験では、上記実験装置の吸引手段（プローブ）を、水位が一定となるように構成された水槽に浸漬した状態で、差圧発生手段（ボルテックスブロア）を作動させて、水槽内の水と空気を同時に吸引した。
なお、吸引手段（プローブ）は、水槽内の水につかっている量（水深ｈ）が２ｍｍ、水槽内底面の接触角θが２７°、で一定となるように配設した（図４（Ｃ）参照）。
【００４０】
そして、気体返送手段のチューブに流量計（キーエンス製ＦＤ-Ａ１０）を設けて、気体返送手段のチューブを流れる空気の流量、つまり、吸引手段が吸引する空気の流量を測定した。
また、吸引した水の流量は、一定時間吸引を行った後、気液分離手段に溜まった水の重量を測定し、その重量から算出した。
【００４１】
なお、実験時の気温は１７℃、気圧は１０１５ｈＰａであった。
【００４２】
実験結果を示す。
まず、差圧発生手段（ボルテックスブロア）を作動させると、空気とともにプローブ先端の水を吸引することができ、しかも、吸引した水と空気を気液分離手段で分離できることが確認された。つまり、吸引手段によって気体と液体を吸引した場合、気体返送手段から吸引した空気だけを、吸引した空気とほぼ同流量で、空気を吸引した場所に戻すことが可能であることが確認された。
【００４３】
また、図５に示すように、ボルテックスブロアの回転数を変化させて空気の吸引流量を変化させた場合、吸引する水の流量も変化することが確認できた。しかも、空気の吸引流量と吸引する水の流量が直線的に変化することが確認された。つまり、本発明の装置では、差圧発生手段の作動を制御して空気の吸引流量を制御するだけで、吸引手段が吸引する液体の流量を制御できることが確認された。
【実施例２】
【００４４】
腹腔鏡による手術において、本発明の吸引装置により腹腔内の気体と液体を吸引した場合における腹腔鏡手術への影響を確認した。
【００４５】
実施例２では、豚の腹腔鏡手術を実施し（図６（Ａ）参照）、以下の３つ状況において、実施例１の吸引装置（以下、単に吸引装置という）による吸引を行い、腹腔内の状況および吸引状況を確認した。
１）気体返送手段の挿入部を腹腔内に挿入しない状況において、吸引装置によって腹腔内の気体だけを吸引した場合（還流を生じさせない場合）
２）気体返送手段の挿入部を腹腔内に挿入した状況において、吸引装置によって腹腔内の気体のみを吸引した場合
３）気体返送手段の挿入部を腹腔内に挿入した状況において、生理食塩水（１００ｍｌ）を腹腔内に注入し、吸引装置によって腹腔内の気体と生理食塩水で希釈された血液とを同時に吸引した場合
【００４６】
実験では、通常の腹腔鏡手術に使用される装置と同様の装置を使用した。
なお、試験を行ったときの気温は２５．０℃、気圧は９９２ｈＰａであった。
また、炭酸ガス充填時における腹腔内の圧力はゲージ圧で８〜１０ｍｍＨｇであった。
【００４７】
まず、１）の状況では、吸引装置によって吸引を行うことによって、腹腔鏡の体積が減少して視野や術野が変化し、手術を行いにくい状況になることが確認された。
【００４８】
つぎに、２）の状況では、吸引装置による吸引停止を行っても腹腔鏡の視野や術野の変化はほとんど見られなかった。つまり、本発明の吸引装置によって気体を返送すれば、吸引した気体とほぼ同量の気体を腹腔内に返送でき、そして、腹腔鏡の視野や術野を維持できることが確認された。
【００４９】
３）の状況でも、２）の状況と同様に、吸引装置による吸引を行っても腹腔鏡の視野や術野の変化はほとんど見られなかった（図７参照）。つまり、生理食塩水で希釈された血液と気体を気液分離手段において分離して（図６（Ｂ）参照）、吸引した気体とほぼ同量の気体を腹腔内に返送できていることが確認された。
【００５０】
また、ボルテックスブロワの回転数を２８００ｒｐｍ（インバータ周波数５０Ｈｚ）に固定して吸引を行ったところ、１７秒で約２０ｃｃの生理食塩水で希釈された血液を吸引することができた。この際に、吸引される気体の流量は、生理食塩水で希釈された血液の吸引状態の変化に応じて０．２〜８Ｌ／ｍｉｎの間を変化したが、平均で０．５Ｌ／ｍｉｎであった。
【００５１】
さらに、ボルテックスブロワの回転数を増減させることにより、気液ともに流量を増減させることが出来ることを腹腔内においても確認した。つまり、本発明の装置では、差圧発生手段の作動を制御すれば、腹腔内から気体や液体を吸引する場合でも、吸引手段が吸引する気体や液体の流量を制御できることが確認された。
【００５２】
以上の結果より、本発明の吸引装置を使用すれば、腹腔内の状況を変化させることなく、腹腔内の気体と血液などの液体とを同時吸引できることが確認された。そして、腹腔内でも、ボルテックスブロアの作動を制御して空気の吸引流量を制御するだけで、吸引手段が吸引する液体の流量を制御できることが確認された。
【産業上の利用可能性】
【００５３】
本発明の吸引装置は、腹腔鏡による手術の際に血液などを吸引して除去する装置や乾湿両用掃除機などに適している。
【符号の説明】
【００５４】
１          吸引装置
２          吸引手段
３          吸引部
４          チューブ
５          気液分離部
５ｈ        分離空間
６          差圧発生手段
６ａ        吸引口
６ｂ        排出口
７          気体返送手段
８          挿入部
９          チューブ
【図１】
2016022026.tif 000003
【図２】
2016022026.tif 000004
【図４】
2016022026.tif 000005
【図３】
2016022026.tif 000006
【図５】
2016022026.tif 000007
【図６】
2016022026.tif 000008
【図７】
2016022026.tif 000009